(57)【要約】【課題】  フロントカバーを備えるロータリ耕耘装置において、障害物との接触でフロントカバー支持部が破損したり、フロントカバー支持部にゴミが引っ掛かる不都合を解消する。【解決手段】  回転駆動されるロータリ耕耘軸１０と、該ロータリ耕耘軸１０の上方に並列状に配される耕耘伝動パイプ７と、該耕耘伝動パイプ７の下方に配されてロータリ耕耘軸１０の上方を覆うメインカバー１７と、該メインカバー１７の後端部に上下回動自在に設けられるリヤカバー１８とを備えると共に、メインカバー１７を前後回動可能に構成したロータリ耕耘装置１において、ロータリ耕耘軸１０の前方を覆い、かつ、メインカバー１７の前後回動に応じて上下回動されるフロントカバー１９を設けるにあたり、該フロントカバー１９を耕耘伝動パイプ７で支持した。【選択図】        図１
2006217814.tif 000002
【特許請求の範囲】
【請求項１】
回転駆動されるロータリ耕耘軸と、該ロータリ耕耘軸の上方に並列状に配される耕耘伝動パイプと、該耕耘伝動パイプの下方に配されて前記ロータリ耕耘軸の上方を覆うメインカバーと、該メインカバーの後端部に上下回動自在に設けられるリヤカバーとを備えると共に、前記メインカバーを前後回動可能に構成したロータリ耕耘装置であって、該ロータリ耕耘装置に、前記ロータリ耕耘軸の前方を覆い、かつ、前記メインカバーの前後回動に応じて上下回動されるフロントカバーを設けるにあたり、該フロントカバーを前記耕耘伝動パイプで支持したことを特徴とするロータリ耕耘装置。
【請求項２】
前記フロントカバーの下面を、前記メインカバーに設けたローラで支持したことを特徴とする請求項１記載のロータリ耕耘装置。
【発明の詳細な説明】
【技術分野】
【０００１】
本発明は、トラクタなどに装着して使用されるロータリ耕耘装置に関する。
【背景技術】
【０００２】
回転駆動されるロータリ耕耘軸と、該ロータリ耕耘軸の上方を覆うメインカバーと、該メインカバーの後端部に上下回動自在に設けられるリヤカバーとを備えると共に、メインカバーを前後回動可能に構成したロータリ耕耘装置が知られている。このようなロータリ耕耘装置では、耕耘深さに応じてメインカバーの前後位置を調整することにより、リヤカバーの対地姿勢を常に適正化することが可能であるが、メインカバーを後側に移動させると、ロータリ耕耘軸の前方が開放し、ここから泥土が前方に飛散するという問題がある。
【０００３】
そこで、ロータリ耕耘軸の前方を覆うと共に、メインカバーの前後回動に応じて上下回動するフロントカバーが提案されている（例えば、特許文献１参照）。このようなフロントカバーを備えるロータリ耕耘装置では、メインカバーを後側に移動させても、ロータリ耕耘軸の前方がフロントカバーで覆われるので、前方への泥土の飛散を防止でき、また、メインカバーを前方に移動させると、フロントカバーが上方に退避回動するので、メインカバーの前後移動を妨げる不都合もない。
【特許文献１】実開平１−１１８６０２号公報
【発明の開示】
【発明が解決しようとする課題】
【０００４】
しかしながら、特許文献１では、ロータリ耕耘装置の左右両側部でフロントカバーを回動支持しているので、障害物との接触でフロントカバー支持部が破損したり、フロントカバー支持部にゴミが引っ掛かる不都合があり、また、左右幅が広いロータリ耕耘装置においては、フロントカバーの支持強度が不足し、フロントカバーの中間部が自らの荷重で撓んだり、障害物との接触で変形する惧れがある。
【課題を解決するための手段】
【０００５】
本発明は、上記の如き実情に鑑みこれらの課題を解決することを目的として創作されたものであって、回転駆動されるロータリ耕耘軸と、該ロータリ耕耘軸の上方に並列状に配される耕耘伝動パイプと、該耕耘伝動パイプの下方に配されて前記ロータリ耕耘軸の上方を覆うメインカバーと、該メインカバーの後端部に上下回動自在に設けられるリヤカバーとを備えると共に、前記メインカバーを前後回動可能に構成したロータリ耕耘装置であって、該ロータリ耕耘装置に、前記ロータリ耕耘軸の前方を覆い、かつ、前記メインカバーの前後回動に応じて上下回動されるフロントカバーを設けるにあたり、該フロントカバーを前記耕耘伝動パイプで支持したことを特徴とする。このように構成すれば、フロントカバーを耕耘伝動パイプで支持することにより、フロントカバー支持部をロータリ耕耘装置の内部に構成することが可能になる。これにより、障害物との接触でフロントカバー支持部が破損したり、フロントカバー支持部にゴミが引っ掛かる不都合を解消することができる。また、フロントカバーの中間部を支持できるので、左右幅が広いロータリ耕耘装置であっても、十分な支持強度を確保し、フロントカバーの撓みや変形を防止することができる。
また、前記フロントカバーの下面を、前記メインカバーに設けたローラで支持したことを特徴とする。このように構成すれば、メインカバーの前後移動に応じて、フロントカバーを円滑かつ静粛に上下回動させることができる。また、最小限の部品でメインカバーとフロントカバーを連動させることができるので、部品点数の削減、構造の簡略化、コストダウンなども図れる。
【発明を実施するための最良の形態】
【０００６】
次に、本発明の実施形態について、図面に基づいて説明する。図面において、１はロータリ耕耘装置であって、該ロータリ耕耘装置１は、走行機体２（トラクタなど）の後部に対し、三点リンク機構３及びオートヒッチ４を介して連結され、走行機体２から供給される動力で動作することにより、耕耘作業を行う。
【０００７】
本実施形態のロータリ耕耘装置１は、トップマスト５の下部に設けられるギヤケース６と、ギヤケース６から左右両側方に延出する耕耘伝動パイプ（パイプフレーム）７と、一方の耕耘伝動パイプ７の外端部に一体的に設けられるチェンケース８と、他方の耕耘伝動パイプ７の外端部に一体的に設けられるサイドプレート９と、チェンケース８とサイドプレート９の間に回転自在に軸支されるロータリ耕耘軸１０と、ロータリ耕耘軸１０に装着される多数の耕耘爪１１と、ロータリ耕耘軸１０（耕耘爪１１）の周囲を覆う耕耘カバー１２と、耕耘伝動パイプ７から後方に延出するツールバー１３とを備えて構成されている。尚、ツールバー１３は、各種のアタッチメントを装着するためのものであり、高さ調整ロッド１４を介してトップマスト５で吊持されている。
【０００８】
ギヤケース６は、ジョイント軸１５を介して、走行機体２のＰＴＯ軸１６から動力を入力する。ギヤケース６に入力された動力は、ベベルギヤ機構（図示せず）によって方向変換されると共に、一方の耕耘伝動パイプ７に内装された伝動軸（図示せず）を介してチェンケース８に伝動される。チェンケース８は、伝動軸から入力した動力を、チェン伝動機構（図示せず）を介してロータリ耕耘軸１０に伝動し、ロータリ耕耘軸１０を所定方向に回転駆動させる。
【０００９】
耕耘カバー１２としては、少なくとも、ロータリ耕耘軸１０の上方を覆うメインカバー１７と、メインカバー１７の後端部に上下回動自在に設けられるリヤカバー１８と、ロータリ耕耘軸１０の前方を覆うフロントカバー１９とが含まれる。メインカバー１７の後端部には、左右一対のブラケット２０が立設されており、これらのブラケット２０が、左右一対の加圧ロッド２１を介してリヤカバー１８を吊持している。リヤカバー１８は、耕耘爪１１が耕耘した耕耘土を均平しつつ、耕深に応じて上下に変位するものであり、リヤカバー１８の上下変位に基づいて耕深検出が行われる。
【００１０】
メインカバー１７は、側面視円弧状の天板１７ａと、天板１７ａの左右両端部から下方に延出する左右一対の側板１７ｂとを備える。左右の側板１７ｂは、それぞれチェンケース８とサイドプレート９に対して回動自在に支持されており、メインカバー１７及びリヤカバー１８がロータリ耕耘軸１０を中心として前後方向に回動可能となっている。これにより、耕耘深さに応じてメインカバー１７の前後位置を調整することにより、リヤカバー１８の対地姿勢を常に適正化することが可能になる。
【００１１】
トップマスト５には、メインカバー１７を前後回動させるための操作レバー２２が設けられている。操作レバー２２は、トップマスト５に前後回動自在に軸支されており、その回動支軸２３には、リンクアーム２４が一体的に設けられている。一方、メインカバー１７の後端部中央には、ブラケット２５が立設されており、このブラケット２５とリンクアーム２４をロッド２６を介して連結することにより、操作レバー２２によるメインカバー１７の前後回動操作が可能になる。
【００１２】
フロントカバー１９は、ロータリ耕耘軸１０の前方を覆い、かつ、メインカバー１７の前後回動に応じて上下回動するように構成される。このようなフロントカバー１９を設けると、メインカバー１７を後側に移動させても、ロータリ耕耘軸１０の前方がフロントカバー１９で覆われるので、前方への泥土の飛散を防止でき、また、メインカバー１７を前方に移動させると、フロントカバー１９が上方に退避回動するので、メインカバー１７の前後移動を妨げる不都合もない。
【００１３】
本発明は、上記のようなフロントカバー１９を設けるにあたり、該フロントカバー１９を耕耘伝動パイプ７で支持したことに特徴がある。このようにすると、フロントカバー１９の支持部をロータリ耕耘装置１の内部に構成することが可能になるので、障害物との接触でフロントカバー１９の支持部が破損したり、フロントカバー１９の支持部にゴミが引っ掛かる不都合を解消することができる。また、耕耘伝動パイプ７によれば、フロントカバー１９の中間部を支持できるので、左右幅が広いロータリ耕耘装置１であっても、十分な支持強度を確保し、フロントカバー１９の撓みや変形を防止することが可能になる。
【００１４】
具体的な構成を説明すると、フロントカバー１９は、左右に幅広な板状部材からなり、左右両側には、前後方向を向くプレート１９ａが一体的に溶着されている。一方、耕耘伝動パイプ７には、左右一対のブラケット７ａが一体的に突設されており、このブラケット７ａの先端部とプレート１９ａの後端部が支軸２７を介して回動自在に連結されている。これにより、フロントカバー１９は、支軸２７を介して耕耘伝動パイプ７で上下回動自在に支持され、また、支軸２７に設けられる捻りバネ２８によって下方に付勢される。
【００１５】
フロントカバー１９のプレート１９ａは、ブラケット７ａとの連結部材として機能するだけでなく、フロントカバー１９の補強部材としても機能するが、さらに本実施形態のプレート１９ａは、メインカバー１７の先端部に設けられる左右一対のローラ２９との接触により、フロントカバー１９の回動姿勢を規定するカム部材（ガイド部材）としても機能するようになっている。即ち、プレート１９ａの下面は、なめらかなカーブを描くと共に、メインカバー１７側のローラ２９で支持されている。これにより、メインカバー１７の前後移動に応じて、フロントカバー１９を円滑かつ静粛に上下回動させることができ、また、最小限の部品でメインカバー１７とフロントカバー１９を連動させることができるので、部品点数の削減、構造の簡略化、コストダウンなども図れる。尚、本実施形態のプレート１９ａは、後端部が耕耘伝動パイプ７に下方から当接することにより、フロントカバー１９の下限ストッパにも兼用される。
【００１６】
叙述の如く構成された本実施形態のロータリ耕耘装置１において、図１に示すように、操作レバー２２を前方に操作すると、メインカバー１７及びリヤカバー１８が前方に回動し、深耕作業に適した状態になる。このとき、フロントカバー１９は、メインカバー１７の前端部に設けたローラ２９で上方に押し上げられるので、メインカバー１７の移動経路から退避し、その移動を妨げない。一方、図２に示すように、操作レバー２２を後方に操作すると、メインカバー１７及びリヤカバー１８が後方に回動し、浅耕作業や代掻き作業に適した状態になる。このとき、フロントカバー１９は、ローラ２９の後方移動に伴い下方に回動するので、ロータリ耕耘軸１０の前方を覆い、耕耘土や泥の前方への飛散を阻止することになる。
【００１７】
このように本実施形態のロータリ耕耘装置１は、回転駆動されるロータリ耕耘軸１０と、該ロータリ耕耘軸１０の上方に並列状に配される耕耘伝動パイプ７と、該耕耘伝動パイプ７の下方に配されてロータリ耕耘軸１０の上方を覆うメインカバー１７と、該メインカバー１７の後端部に上下回動自在に設けられるリヤカバー１８とを備えると共に、メインカバー１７を前後回動可能に構成したものであるが、ロータリ耕耘軸１０の前方を覆い、かつ、メインカバー１７の前後回動に応じて上下回動されるフロントカバー１９を設けるにあたり、該フロントカバー１９を耕耘伝動パイプ７で支持したので、フロントカバー１９の支持部をロータリ耕耘装置１の内部に構成することが可能になる。これにより、障害物との接触でフロントカバー１９の支持部が破損したり、フロントカバー１９の支持部にゴミが引っ掛かる不都合を解消することができる。また、フロントカバー１９の中間部を支持できるので、左右幅が広いロータリ耕耘装置１であっても、十分な支持強度を確保し、フロントカバー１９の撓みや変形を防止することができる。
【００１８】
また、本実施形態では、フロントカバー１９の下面を、メインカバー１７に設けたローラ２９で支持したので、メインカバー１７の前後移動に応じて、フロントカバー１９を円滑かつ静粛に上下回動させることができる。また、最小限の部品でメインカバー１７とフロントカバー１９を連動させることができるので、部品点数の削減、構造の簡略化、コストダウンなども図れる。
【００１９】
次に、本発明の第二実施形態に係るロータリ耕耘装置１について、図５〜図７を参照して説明する。但し、第一実施形態と共通の構成については、第一実施形態と同じ符号を付し、第一実施形態の説明を援用する。
【００２０】
第二実施形態のロータリ耕耘装置１は、メインカバー１７とフロントカバー１９との連動構成が第一実施形態と相違している。つまり、第一実施形態のロータリ耕耘装置１では、ローラ２９を介して、フロントカバー１９をメインカバー１７に連動連結しているのに対し、第二実施形態のロータリ耕耘装置１では、ケーブルワイヤ３０などの連結手段を介して、フロントカバー１９を操作レバー２２に連動連結している。このように構成すると、フロントカバー１９とメインカバー１７を直接連結する必要がなくなるので、フロントカバー１９の配置や形状に対する制約を減らすことができる。尚、連結手段としては、ケーブルワイヤに限定されず、例えば、リンクロッドなども用いることができる。
【００２１】
具体的な構成としては、操作レバー２２の回動支軸２３に設けられるワイヤ連結アーム３１と、トップマスト５に設けられるアウターブラケット３２と、耕耘伝動パイプ７に設けられるアウターブラケット３３と、前述したケーブルワイヤ３０とを追加し、アウターブラケット３２、３３間に配したケーブルワイヤ３０の両端部を、それぞれワイヤ連結アーム３１とフロントカバー１９に連結する。このように構成すると、操作レバー２２を前方の深耕側に操作したとき、ケーブルワイヤ３０が引っ張られてフロントカバー１９が上方へ回動し、操作レバー２２を後方の浅耕側に操作したとき、ケーブルワイヤ３０が繰り出されてフロントカバー１９が下方へ回動することになる。
【図面の簡単な説明】
【００２２】
【図１】第一実施形態に係るロータリ耕耘装置の深耕作業状態を示す側面図である。
【図２】第一実施形態に係るロータリ耕耘装置の浅耕作業状態（代掻き作業状態）を示す側面図である。
【図３】第一実施形態に係るロータリ耕耘装置の要部平面図である。
【図４】第一実施形態に係るロータリ耕耘装置の要部側面図である。
【図５】第二実施形態に係るロータリ耕耘装置の深耕作業状態を示す側面図である。
【図６】第二実施形態に係るロータリ耕耘装置の浅耕作業状態（代掻き作業状態）を示す側面図である。
【図７】第二実施形態に係るロータリ耕耘装置の要部側面図である。
【符号の説明】
【００２３】
１      ロータリ耕耘装置
２      走行機体
６      ギヤケース
７      耕耘伝動パイプ
１０    ロータリ耕耘軸
１７    メインカバー
１８    リヤカバー
１９    フロントカバー
１９ａ  プレート
２２    操作レバー
２９    ローラ
【図１】
2006217814.tif 000003
【図２】
2006217814.tif 000004
【図３】
2006217814.tif 000005
【図４】
2006217814.tif 000006
【図５】
2006217814.tif 000007
【図６】
2006217814.tif 000008
【図７】
2006217814.tif 000009